(57)【要約】【課題】  広範囲に一端末又は，複数の端末へ広告・一般情報を放映することが出来る新しい情報提供システムで非常に安価で簡単に構築することが出来、且つ、放映箇所を特定することが出来、効率よく広告・一般情報を視聴者に放映することが出来る情報提供システムを提供する。【解決手段】  配信元が、人種、場所などの複数の特別条件を一つのグループにして決定する特別条件決定工程と、グループ内の各条件に関連する広告・一般情報を選定する広告・一般情報選定工程と選定された広告・一般情報を一ヶ所又は複数ヶ所の配信先に配信する配信工程とを有し、配信元は、総合データベースと、制御装置と、接続手段とからなる通信制御コンピュータを有し、メモリー装置と、表示手段と、端末コンピュータ装置とを備えた表示装置を有し表示装置は公衆通信回線を介して通信制御コンピュータと結ばれている。【選択図】    図１
2005250427.tif 000002
【特許請求の範囲】
【請求項１】
配信元が、人種、時間、場所などの複数の特別条件を一つのグループにして決定する特別条件決定工程と、該グループ内の各条件に関連する広告・一般情報を選定する広告・一般情報選定工程と、該選定された広告・一般情報を一ヶ所または複数ヶ所の配信先に配信する配信工程とを有することを特徴とする情報提供システムであって、配信元は、総合データベースと、制御装置と、接続手段とからなる通信制御コンピュータを有し、前期総合データベースは、前記特別条件を決定する為の項目及び該項目に関する条件が収納されている第一データベースと、複数の広告・一般情報が収納されている第二データベースと、前記第一データベース内の前記項目及び項目に関する条件と前記第二データベース内の広告・一般情報を関連付ける情報が収納されている第三データベースとからなり、前記制御装置は、前記第二データベース内の広告・一般情報を抽出して制御信号とともに配信先に送信し、前記接続手段は公衆通信回線と接続し、配信先は表示装置を有し、該表示装置は、広告・一般情報を蓄積するメモリー装置と、該広告・一般情報を表示する表示手段と、前記制御信号に基づいて表示装置を制御する端末コンピュータ装置と、公衆通信回線と接続された接続手段とからなり、前記表示装置は公衆通信回線を介して前記通信制御コンピュータと結ばれていることを特徴とする情報提供システム。
【請求項２】
前記表示装置は表示装置を制御する端末コンピュータ装置に蓄積された広告・一般情報を表示すると同時に電波による文字放送を表示装置自身が受信し表示することを特徴とする請求項１に記載の情報提供システム。
【請求項３】
前記表示装置の前記メモリー装置は、該表示装置に内装された固定メモリー装置であり、表示する情報を自動的にスケジューリングする特徴を有する請求項１又は２に記載の情報提供システム。
【請求項４】
前記配信元は、広告・一般情報に関連したデータが蓄積されたサブデータベースを有し、前記配信先の表示装置を制御する端末コンピュータ装置は、入力手段を有し、該入力手段を操作して前記サブデータベース内のデータを閲覧可能であることを特徴とする請求項１〜３に記載の情報提供システム。
【請求項５】
前記サブデータベースは、前記通信制御コンピュータの前記総合データベース内の第４データベースであることを特徴とする請求項４に記載の情報提供システム。
【請求項６】
前記サブデータベースは、入力手段と、表示手段と、接続手段とを備えたコンピュータに備えられていることを特徴とする請求項４に記載の情報提供システム。
【請求項７】
前記表示手段の一部又は全部は、前記サブデータベース内のデータを表示可能であることを特徴とする請求項２〜６のいずれかに記載の情報提供システム。
【請求項８】
前記表示手段は、前記文字放送、前記広告・一般情報を同時に表示するとともにサブデータベース内のデータを表示できることを特徴とする請求項２〜７のいずれかに記載の情報提供システム。
【請求項９】
前記入力手段はタッチパネル、マウス、キーボードのいずれか一つ又は二つ以上であることを特徴とする請求項２〜８のいずれかに記載の情報提供システム。
【請求項１０】
前記入力手段は、携帯電話であり、該携帯電話を操作し、前記サブデータベース内のデータを前記表示手段の一部または全部で閲覧可能であることを特徴とする請求項２〜９のいずれかに記載の情報提供システム。
【請求項１１】
前記第二データベース内の広告・一般情報は、公衆通信回線と接続が可能な接続手段を有する機器から送信されたデータを、配信元が検閲して、蓄積することが可能なことを特徴とする請求項２〜１０のいずれかに記載の情報提供システム。
【請求項１２】
前記第二データベース内の広告・一般情報は、公衆通信回線と接続が可能な接続手段を有する機器から直接該第二データベースに送信されて蓄積されたデータであることを特徴とする請求項２〜１０のいずれかに記載の情報提供システム。
【発明の詳細な説明】
【発明の詳細な説明】
【技術分野】
【０００１】  本発明は、インターネットなどの公衆通信回線を利用し、放映時間、放映場所、放映内容などを限定し、広告・一般情報の対象となる視聴者を絞り込んで効率的に広告・一般情報を放映することが出来る情報提供システムに関する。
【背景技術】
【０００２】  従来、映像や文字放送を利用した広告や宣伝といえば、ＴＶコマーシャルが広く認知されている。又、身近な一般情報を伝える伝言板のようなものは、一般的には、紙による印刷物が主に広く使われており、又、銀行・駅などに設置されている自由に掲示できる黒板等も、利用されている。【０００３】  一般的なＴＶコマーシャルは、広告を放送しようとする企業や個人が放送局の放映権を購入し、広告制作会社などを利用して広告を制作し、企業や個人はその広告の放映を放送局に委託し、放送局は放送している番組の間に種々の広告をスケジューリングし、公共の電波を利用して広告を放映するというのが一般的である。【０００４】また、公共の通信回線としてインターネットを利用した広告も近年、急速に広まりつつある。
【本発明が解決しようとする課題】
【０００５】  しかし、従来の公共の電波を利用する広告の放映システムは、テレビ局の放映権が高く、利用できる広告宣伝主が限られてしまい、簡単に広告を放映できないという問題がある。
【０００６】  また、広範囲に広告・一般情報を放映できるシステムを新規に構築しようとすると、莫大な費用が掛かってしまうという問題がある。
【０００７】  また、従来のシステムは、広告主・情報主が制作した広告・一般情報を広範囲で放映するため、広告宣伝主にとっては利点が大きいが、見る側は自分の見たい広告を選択することが出来ないという不利がある。
【０００８】  またインターネットを利用した広告は、手軽で安価にかつ広範囲に広告を放映することが出来るが、ホームページの数があまりにも膨大な為、視聴者が広告・一般情報を見つけなければならず、非常に大変で困難である。
【０００９】  また、個人又は企業が、場所を特定したピンポイントへの身近な個人又は企業情報を第三者に伝えるためには、コストがかかり又、掲載するまでに時間が掛かる難点であった。
【００１０】  また、広告主、情報主である個人又は、小企業などは、コスト面からも利用する頻度が限られ企業が手軽に簡単に毎日入れ替え可能な媒体を利用することが困難であった。
特に一般情報或いは、単なる人に伝えるといった伝言板的情報は、集客、滞留場所へ掲載する事は、情報主側の対価が得られる見込みのない限り又は、第三者のスポンサーの協力を得ない限り、現実問題モニターなどによる放映ができなかった。
【００１１】  以上のような課題を解決した新規な情報提供システムの開発が望まれていた。
【課題を解決する為の手段】
【００１２】  上記課題を解決する為、本発明に係る情報提供システムは、配信元が、人種、
2005250427.tif 000003
程と、グループ内の各条件に関連する広告・一般情報を選定する広告・一般情報選定条件と、選定された工程を一ヶ所又は複数箇所の配信先に配信する配信工程を有し、配信元は、総合データベースと、制御装置と、接続手段とからなる通信制御コンピュータを有し、総合データベースは特別条件を決定する為の項目及び項目に関する条件が収納されている第一データベースと、複数の広告・一般情報が収納されている第二データベースと、第一データベース内の項目及び項目に関する条件と第二データベース内の広告を関連付ける情報が収納されている第３データベースとからなり、制御装置は第二データベース内の広告・一般情報を抽出して制御信号とともに配信先に送信し、表示装置は広告・一般情報を蓄積するメモリー装置と、広告・一般情報を表示する表示手段と、制御信号に基づいて表示装置を制御する端末コンピュータ装置と、公衆通信回線と接続された接続手段とからなり表示装置は公衆通信回線を介して通信制御コンピュータと結ばれていることを特徴とする。
【００１３】  また、配信元は、広告・一般情報に関連した情報が蓄積されたサブデータベースを有し、配信先の表示装置は、入力手段を有し、この入力手段を操作してサブデータベース内の情報が閲覧可能であることを特徴とする。
【００１４】  また、このサブデータベースは、通信制御コンピュータの総合データベース内の第四データベースであってもよい。
【００１５】  また、このサブデータベースは、入力手段と、表示手段と、接続手段とを備えた他のコンピュータに備えられてもよい。
【００１６】  また、表示手段の一部又は全部は、サブデータベース内の情報を表示可能であることを特徴とする。
【００１７】  またこの表示手段は広告を表示するとともに、サブデータベース内の情報を表示可能であってもよい。
【００１８】  また、前記入力手段は、タッチパネル、マウス、キーボードのいずれか一つ又は二つ以上であることを特徴とする。
【００１９】  また、この入力手段は、携帯電話であり、携帯電話を操作し、サブデータベース内の情報を表示手段の一部又は全部で閲覧可能であることを特徴とする。
【００２０】  また、第二データベース内の広告・一般情報は、公衆通信回線と接続が可能な接続手段を有する機器から送信されたデータを、配信元が検閲、加工して蓄積してもよい。
また、第二データベース内の広告・一般情報は、公衆通信回線と接続が可能な接続手段を有する機器から直接第二データベースに送信されてデータでもよい。
【発明を実施するための最良の形態】
【００２１】  本発明に係る情報提供システムについて、図を使用しながら詳細に説明する。図１は、本発明に係る情報提供システムの一実施の形態を示した説明図である。また、図４は、本発明に係る情報提供システムを示したフローチャートである。【００２２】  本発明に係る情報提供システムは、配信元が、人種、時間、場所などの複数の特別条件を選択して一つのグループとして決定する特別条件決定工程と、グループ内の各条件に関連する情報又は広告・一般情報を選定する広告・一般情報選定工程と、選定された情報または広告・一般情報を一ヶ所又は複数ヶ所の配信先に配信する配信工程とを有している。【００２３】  ここで本発明に係る公衆通信回線３６とは、通信が可能であり、一般家庭においても使用することが出来る通信回線の事を指し、インターネット網につながる回線であり、ΛＤＳＬ，光回線などが好ましい。【００２４】  この特別条件決定工程は、あらかじめ用意されている人種、時間、場所といった広告・一般情報に関係する複数の項目及び項目に関する条件の中から任意に選択して決定するものである。この特別条件決定工程で決定された各項目及び条件は、一つのグループとしてまとめられ、広告・一般情報選定工程に移行する。【００２５】  広告・一般情報選定工程は、特別条件決定工程で決定された条件に関連する広告・一般情報を選出し、選出された広告の中から放映する広告を選定する工程である。この広告選定工程には、データベース内から広告を抽出する広告抽出工程を含んでいてもよい。【００２６】  また、配信工程は、配信元が配信先に広告・一般情報を送信する工程を指す、配信工程には表示条件を決定する工程も含まれている。【００２７】  この他にも、本発明の趣旨を逸脱しない限りは、どのような工程を有していてもよい。【００２８】  次に、本発明に係る配信元及び配信元が有する通信制御コンピュータ２について説明する。図２は本発明に係る通信制御コンピュータ２を示した説明図である。配信元は総合データベース４と、制御装置１４と、接続手段とからなる通信制御コンピュータ２を有していることを特徴とする。【００２９】  本発明に係る総合データベース３は、特別条件を決定する目安になる項目が設定され、各項目には細分化された条件が分類されている第一データベース６と、複数の情報又は広告が収納されている第二データベース７と、第一データベース６内の特別条件と第二データベース７内の情報又は広告・一般情報を関連付ける情報が収納されている第三データベース１２とからなる。【００３０】  たとえば、人種という項目には、条件として性別、年齢、職業など視聴するであろう人を特定する為の条件が設定されている。また、時間という項目には、春夏秋冬、月日、曜日といった条件が設定されている。尚、これらの項目及び条件は、説明の便宜上だけのものであって、本発明を限定するものではない。【００３１】  前記した特別条件決定工程では、第一データベース６内の項目及び条件を一つだけ選択してもよいし、複数選択してもよい。また、項目内の条件は複数選択してもよい。選択された項目及び条件は一つのグループとして扱われる。【００３２】  たとえば、第一データベース６の項目を
【人種】
だけ選択し、その条件を
【女性】
のみ選択することも可能である。また、第１データベース６の項目を
【人種】
だけ選択し、その条件を
【２０台】
と
【男性】
と
【サラリーマン】
と選択して、
【２０代の男性サラリーマン】
のように選択することも可能である。また、
【時間】
の項目内の
【午後】
と、
【場所】
の項目内の
【居酒屋】
という条件も含めて、
【２０代の男性サラリーマンが午後に来店する居酒屋】
のように複数の項目と複数の項目にまたがる条件を同時に選択することが可能である。
【００３３】  第二データベース７は、広告・一般情報データ１０が収納され、各広告データ１０にはそれぞれキーワードが付されている。このキーワードは、広告・一般情報データ１０の内容を簡潔に表現できる単語などが簡略化されて付されている。このキーワードは配信元が広告を第二データベース７内に蓄積する際に、広告・一般情報の内容を吟味して付してもよいし、広告製作者又は広告主・情報主があらかじめ設定してもよい。
【００３４】  第二データベース８に広告・一般情報を蓄積する方法としては、たとえば、広告主・情報主又は広告制作会社が記録媒体に広告・一般情報データ１０を記録して配信元に送付し、配信元が記録媒体内の広告・一般情報データ１０を検討してキーワードを付した後、第二データベース７に蓄積してもよい。
【００３５】  このほかの方法としては、広告主・情報主又は広告制作会社が、公衆通信回線３６と接続が可能な接続手段を有する機器から広告・一般情報データ１０を配信
2005250427.tif 000004
後、第二データベース７内に蓄積することも可能である。この時、配信元が広告・一般情報データ１０に何らかの加工をすることも可能である。この公衆通信回線３６と接続が可能な接続手段を有する機器としては、携帯電話、コンピュータなどが挙げられる。
【００３６】  次に第三データベース１２は、第一データベース６の各項目及び条件と、第二データベース７内の各広告に付されたキーワードを関連付ける為の情報が蓄積されている。したがって、第一データベース６内のある項目及び条件が選択されると、第三データベース１２は、その項目及び条件に対応するキーワードを導き出す。
【００３７】  次に、本発明に係る制御装置１４について説明する。本発明に係る制御装置１４は、配信元が第一データベース６内の項目及び条件を選択すると、第三データベース１２内の情報に基づいて項目及び条件に対応するキーワードを導き出し、このキーワードを有する広告・一般情報を第二データベース８内から検索して配信元に告知する。
【００３８】  配信元が放映しようとする広告・一般情報を選択し、広告・一般情報の表示時間・表示順序などの表示条件を決定すると、制御装置１４はこの表示条件に基づき制御信号を制作し、選択された広告・一般情報データ１０を送信できる状態にする。表示条件は制御信号に含まれているものとする。
【００３９】  ここで制御信号とは、配信先が有する表示装置２４のすべてを制御することが出来る信号のことである。たとえば、メモリー装置２６内の広告データ１０の消去や、表示手段２８の電源のオンオフなどであり、詳細は適宜設定すればよい。
【００４０】  次に、本発明に係る通信制御コンピュータ２の接続手段１６は、公衆通信回線３６に接続することが出来、データの送受信が可能なものであれば、どのような手段であってもよい。
【００４１】  次に本発明に係る配信元は、サブデータベース２０を有していてもよい。このサブデータベース２０内にはサブデータ２２が蓄積されている。サブデータ２２とは、広告・一般情報に関連した情報をインターネットで閲覧可能にしたデータ全般を指し、その形式は限定しない。
【００４２】  このサブデータベース２０は、通信制御コンピュータ２の総合データベース３内に設けられた第四データベースであってもよい。また、入力手段、表示手段、接続手段を備えた他のコンピュータに設けられてもよい。
【００４３】  サブデータ２２は、配信先の表示手段２８で閲覧が可能であるが、表示手段と接続手段を有している機器であれば閲覧が可能であるとする。たとえば、第三者が有するコンピュータ又は携帯電話といった機器でもサブデータベース２０内のサブデータ２２は閲覧が可能である。
【００４４】  また、このサブデータベース２０内には、認証手段、セキュリティー手段などのほかの手段を有していてもよい。さらにインターネットを利用して買い物が出来る為の手段を有していてもよい。サブデータベース２０がこれらの手段を有することにより、本発明の情報提供システムである広告・一般情報利用者は、広告・一般情報を見ながら同時に広告・一般情報の商品を注文することが出来る。
【００４５】  次に、配信先が有している表示装置２４について説明する。図３は本発明に係る表示装置２４を示した説明図である。本発明に係る表示装置２４は、広告・一般情報データ１０を蓄積するメモリー装置２６と、広告・一般情報データ１０を表示する表示手段２８と、制御信号に基づいて表示装置２４を制御する端末コンピュータ装置３０と、接続手段３４とからなることを特徴とする。
【００４６】  本発明に係る表示装置２４には、それぞれ個別の認識番号が設定されている。公衆通信回線３６にインターネット網を使用する場合は、ＩＰアドレスを設定する。表示装置２に個別の識別番号を設定することにより、配信元は配信先を指定して広告データ１０を送信することが出来る。
また、配信元がすべての配信先に一斉に広告・一般情報を放映できることは言うまでもない。
【００４７】  本発明に係るメモリー装置２６は、広告・一般情報データ１０を蓄積できるものであれば、どのような装置を使用してもよい。一般的にはハードディスクなどが好ましい。
【００４８】  本発明に係る表示手段２８は、複数の広告・一般情報データ１０及びサブデータ２２を閲覧することが手段であれば、どのようなものを使用してもよい。表示手段２８としては各種モニター、文字表示装置などが好ましい。
【００４９】  本発明に係る端末コンピュータ装置３０は表示装置２４を制御できる装置であって、配信元から送信された制御信号に基づいて、表示手段２８、メモリー装置２６、接続手段３４などを制御し、広告・一般情報データ１０を表示条件通りに放映することが出来る装置である。
【００５０】  本発明に係る表示装置２４は接続手段３４を有し、接続手段３４は公衆通信回線３６と接続されている。この接続手段３４は表示装置２４内部に設けられ、メモリー装置２６、表示手段２８、端末コンピュータ装置３０が機械的に接続手段３４と接続されている。また、メモリー装置２６、表示手段２８、端末コンピュータ装置３０にそれぞれ設けられてもよい。
【００５１】  また、本発明に係る表示装置２４は入力手段３２を有していてもよい。入力手段３２を操作することによりサブデータベース２０にアクセスすることが出来、表示手段２８でサブデータ２２を閲覧することが出来る。
【００５２】  入力手段３２としては、マウス、キーボードなどを使用することが出来る。入力手段３２は、一つだけに限らず二つ以上有していてもよい。また、タッチパネルのように、画面に触れて操作できるものであってもよい。この他にも、携帯電話を入力手段３２とし、携帯電話を操作して表示手段２８に、サブデータ２２を表示させてもよい。携帯電話の画面でサブデータ２２を閲覧してもよい。
【００５３】  次に、本発明に係る情報提供システムを使用した一実施例を説明する。尚、これは説明の便宜上のものであって、本発明を限定するものではない。
【００５４】  まず、配信元は通信制御コンピュータ２の入力手段１８を操作して特別条件を決定する。特別条件は、配信元が、どこの配信先、どのような人を対象にして放映するのかといった条件に基づいて、第１データベース６の項目及び条件内から適合するものを抽出して適宜選定する。
【００５５】  特別条件が選定されると、制御装置１４が第三データベース１２の情報を基に第二データベース７内の広告・一般情報データ１０を選択し配信元に告知する。配信元は選ばれた広告・一般情報データ１０を検閲し、いつ、どの順番で広告・一般情報を放映するかといった内容の表示条件を設定する。また、この時、広告・一般情報の種類により表示させる表示装置を選定すると同時に制御装置１４は表示条件に基づいて制御信号を作成する。
【００５６】  表示条件を設定すると、配信元は制御装置１４を操作して指定の配信先に広告・一般情報データ１０と、制御信号を送信する。広告・一般情報データ１０と制御信号を受信した表示装置２４は、広告・一般情報データ１０をメモリー装置２６に記録し、端末コンピュータ装置３０は制御信号に基づいて表示手段２８とメモリー装置２６を制御する。
【００５７】  端末コンピュータ装置３０は、制御信号内の表示条件で設定された通りに、メモリー装置２６内の広告・一般情報データ１０を表示手段２８に映し出す。
【００５８】  この時、表示手段２８の一部にはサブデータ２２が表示可能であり、視聴者は入力手段を介して、サブデータベース２０内のサブデータベース２２を自由に閲覧することが出来る。
【発明の効果】
【００５９】  本発明に係る情報提供システムは、配信元と配信先が公衆電話回線で結ばれ、公衆電話回線を使用して広告・一般情報の送受信を行う為、特別な専用の通信回線を構築する必要がなく、新規な情報提供システムを非常に安価に且つ容易に構築することが出来る。
【００６０】  また、本発明に係る情報提供システムは配信元に個別の識別番号を設け、公衆電話回線を使用するため、広告・一般情報を放映する箇所を特定することが出来、広告主・情報主は必要な箇所に絞って配信することが可能で効率的に広告・一般情報を放映することが出来る。さらに、特定の範囲に放映することが出来る為、広告・一般情報に掛かる費用を非常に安価に設定することが出来る。
【００６１】  されに公衆通信回線を利用している為、広告・一般情報を一方向で放映すると同時に、視聴者と配信元が双方向にデータの送受信が可能となり、視聴者の要望に幅広くかつ即座に対応することが出来る。
【図面の簡単な説明】
【００６２】
【図１】  本発明に係る情報提供システムの一実施の形態を示した説明図である。
【図２】  本発明に係る配信元の通信制御コンピュータを示した説明図である。
【図３】  本発明に係る配信先の表示装置を示した説明図である。
【図４】  本発明に係る情報提供システムを示したフローチャートである
【符号の説明】
２      通信制御コンピュータ
３      総合データベース
６      第１データベース
７      第２データベース
１０      広告・一般情報データ
１２      第３データベース
１４      制御装置
１６      接続手段
２０      サブデータベース
２２      サブデータ
２４      表示装置
２６      メモリー装置
２８      表示手段
３０      端末コンピュータ装置
３２      入力手段
３４      接続手段
３６      公衆通信回線
【図１】
2005250427.tif 000005
【図２】
2005250427.tif 000006
【図３】
2005250427.tif 000007
【図４】
2005250427.tif 000008